(57)【特許請求の範囲】
【請求項１】
複数の調理棚が配置可能なスペースを有するオーブン庫に、単一のオーブン庫扉が装備されたオーブンにおいて、
オーブン庫扉のオーブン庫対応位置に、複数の調理棚の出し入れ用のスリット窓を設け、
各スリット窓に、前面には対応するスリット窓の閉鎖板を備え、且つオーブ庫内では強制対流している風を妨げることのない構成とした調理棚を出し入れ自在に装着すると共に、該調理棚を、枠体と、該枠体に取り外し自在に載置される焼き網とで構成し、該枠体の出し入れ方向一側に前記焼き網脱着作業用の切欠部を設けたこと
を特徴とする調理食品の追加及び取り出しによる温度低下を防止可能なオーブン。
【請求項２】
上記複数の調理棚出し入れ用のスリット窓が、上下の幅が異なるスリット窓を含むものである請求項１記載の調理食品の追加及び取り出しによる温度低下を防止可能なオーブン。
【請求項３】
上記調理棚が、上記スリット窓の閉鎖板の配置位置と反対方向端部に前記スリット窓への係止用ストッパ部が形成されたものである請求項１または２記載の調理食品の追加及び取り出しによる温度低下を防止可能なオーブン。
【発明の詳細な説明】
【技術分野】
【０００１】
本発明は、調理食品の追加及び取り出しによる温度低下を防止可能なオーブンに関するものであり、主として、熱風と蒸気を用いて調理を行うスチームコンベクションオーブンで調理食品の追加及び取り出しによる温度低下を防止可能とすることを目指したものである。
【背景技術】
【０００２】
スチームコンベクションオーブンとは、ファンにより熱風を強制対流させるオーブンに、蒸気発生装置を取り付け、熱風または蒸気をそれぞれ単独で利用して、「焼く」「蒸す」ができ、また、同時に利用することで、「煮る」「炊く」「炒める」などができる多機能な加熱調理装置である。
【０００３】
この種のオーブンには、複数の調理棚が配置可能なスペースを有するオーブン庫に、単一のオーブン庫扉が装備されたオーブンが従来より存在した。特許文献１に示されるオーブンは、ガスオーブンであるが、複数の調理棚を有するオーブンであった。
【０００４】
このように複数の調理棚を有するオーブンにあっては、多量の加熱用食品を同時に加熱調理するには便利であり、業務用加熱調理装置として大いに利用されていた。しかし、業務用の加熱調理装置としては、多量の加熱食品を同時に加熱処理するだけでなく、注文に応じ、追加調理できることも要望されていた。
【０００５】
従来のスチームコンベクションオーブンのように、複数の調理棚が存在しても、単一のオーブン庫に、単一のオーブン庫扉が装備されたものであると、時間をおいて追加注文された場合に、該追加された加熱用食品を連続して加熱調理するには、そのたびに、オーブン庫扉を開け、追加の加熱用食品をオーブン庫内に入れる必要があった。しかし、現実にはそのような調理は行われず、先の注文の調理が終了してから、追加注文の調理を行うというのが現実であった。
【０００６】
その原因は、オーブン庫扉の開放により、オーブン庫内の温度が下がってしまうことにあった。この温度の低下は、単にオーブン庫扉の直接の開放による熱の逃げだけではなく、通常のオーブンでは、オーブン庫扉の開放により、センサーが開放を感知し、オーブン庫の熱源をいったん停止し、熱風等の循環用のファンも停止することも原因となっていた。
【０００７】
温度低下は、追加加熱用食品を入れるときのみではなく、追加加熱用食品の加熱中に、先の加熱用食品を取り出す際にも生じる。このようにオーブン庫内の温度が下がってしまうと加熱用食品の追加注文に即応した加熱調理には向かなかった。
【先行技術文献】
【特許文献】
【０００８】
【特許文献１】特開平１０−１２２５７６号公開特許公報
【発明の概要】
【発明が解決しようとする課題】
【０００９】
本発明は、複数の調理棚が配置可能なスペースを有するオーブン庫に単一のオーブン庫扉が装備されたオーブンで、調理食品の追加及び取り出しによる温度低下を、オーブン庫扉に複数の調理棚の出し入れ用のスリット窓を設け、該スリット窓に閉鎖板を備えた調理棚を出し入れ自在に装着したことにより防止することのできるオーブンを提供することを目的とする。
【課題を解決するための手段】
【００１０】
上記課題を解決するため、第１の発明は、複数の調理棚が配置可能なスペースを有するオーブン庫に、単一のオーブン庫扉が装備されたオーブンに次の手段を採用する。
第１に、オーブン庫扉のオーブン庫対応位置に、複数の調理棚の出し入れ用のスリット窓を設ける。
第２に、該スリット窓を設けると共に、各スリット窓に、前面には対応するスリット窓の閉鎖板を備え、且つオーブ庫内では強制対流している風を妨げることのない構成とした調理棚を用いる。
第３に、該調理棚を前記スリット窓に出し入れ自在に装着する。
第４に、該調理棚を、枠体と、該枠体に取り外し自在に載置される焼き網とで構成する。  第５に、該枠体の出し入れ方向一側に前記焼き網脱着作業用の切欠部を設けたことを特徴とする調理食品の追加及び取り出しによる温度低下を防止可能なオーブンとする。
【００１１】
第２の発明は、第１の発明に上記複数の調理棚出し入れ用のスリット窓が、上下の幅が異なるスリット窓を含むものであることを付加した調理食品の追加及び取り出しによる温度低下を防止可能なオーブンである。
【００１３】
第３の発明は、第１または第２の発明に、上記調理棚が、上記スリット窓の閉鎖板の配置位置と反対方向端部に前記スリット窓への係止用ストッパ部が形成されたものであることを付加した調理食品の追加及び取り出しによる温度低下を防止可能なオーブンである。
【発明の効果】
【００１４】
本発明は、オーブン庫扉のオーブン庫対応位置に、複数の調理棚の出し入れ用のスリット窓を設けると共に、各スリット窓に、前面には対応するスリット窓の閉鎖板を備え、且つオーブ庫内では強制対流している風を妨げることのない構成とした調理棚を出し入れ自在に装着したものである。従って、一つの調理棚で注文を受けた加熱用食品を加熱調理中に追加注文があった場合にも、オーブン庫扉を開くことなく、他の調理棚をスリット窓から引き出して使用すればよい。また、追加加熱用食品の加熱調理中に先に加熱調理した食品を取り出す際にも、オーブン庫扉を開くことなく、当該調理棚のみを引き出せばよい。よって、オーブン庫内の温度低下を招くことのないオーブンを提供することができた。
【００１５】
また、調理棚が、枠体と、該枠体に取り外し自在に載置される焼き網とでなると共に、該枠体の出し入れ方向一側に前記焼き網脱着作業用の切欠部を設けたことにより、調理棚が枠体のみでの使用も可能な上、焼き網を載せての使用も可能なものとなるとともに、焼き網の脱着作業も容易なものとなり、使い勝手のよいオーブンを提供することができた。
【００１６】
第２の発明の効果ではあるが、複数の調理棚出し入れ用のスリット窓が、上下の幅が異なるスリット窓を含むものであることにより、調理棚の高さ幅の広いものから狭いものにまで対応でき、異なる種類の食材同士や大きさの異なる調理器に入れた食材の調理が同時にできるオーブンを提供することができた。
【００１７】
第３の発明の効果ではあるが、調理棚が、スリット窓の閉鎖板の配置位置と反対方向端部に前記スリット窓への係止用ストッパ部が形成されたことにより、調理棚をスリット窓から引き出した際、調理棚が簡単にスリット窓から外れてしまうということがないので、オーブンから皿などへの調理品の盛りつけが安定してできるオーブンを提供することができた。
【図面の簡単な説明】
【００１８】
【図１】本発明の一実施例を示すスチームコンベクションオーブンの正面説明図
【図２】調理棚を抜いた状態の同正面説明図
【図３】中央縦断面説明図
【図４】最下段の焼き網付き調理棚を引き出した状態の斜視図
【図５】幅広スリット窓へ装着する調理棚の使用状態を示す斜視図
【図６】焼き網付き調理棚の説明図で（Ａ）は、調理棚に焼き網を載置する前の状態を示し、（Ｂ）は調理棚に焼き網を載置した状態を示す。
【図７】調理棚がスリット窓に係止した状態を示す説明図
【発明を実施するための形態】
【００１９】
以下、図面に従って、実施例と共に本発明の実施の形態について説明する。
図３は、本発明の一実施例を示すスチームコンベクションオーブン１の中央縦断面説明図であり、複数の調理棚２０、２１、２２、２３が配置可能なスペースを有するオーブン庫２に、単一のオーブン庫扉３が装備されている。実施例ではスチームコンベクションオーブン１であるが、熱した空気によって食品を蒸し焼きにする調理器具であるオーブンにおいて利用可能である。尚、オーブン庫扉３は、スチームコンベクションオーブンでは通常用いられる開き扉であって、図中符号７はオーブン庫扉３を開閉するためのドア取っ手である。
【００２０】
図２は、調理棚２０、２１、２２、２３を抜いた状態のスチームコンベクションオーブン１の正面説明図であり、オーブン庫扉３のオーブン庫２対応位置に、４段の調理棚の出し入れ用のスリット窓３０、３１、３２、３３を設けてある。スリット窓３０、３１、３２、３３は、実施例では４段（４個）であるが、本発明では複数段であればよく４段に限定されるものではない。
【００２１】
調理棚出し入れ用のスリット窓３０、３１、３２、３３には、図２にも示されるように、上下の幅が異なるスリット窓３０を含む。実施例では最上段のスリット窓３０が、他のスリット窓３１、３２、３３より幅広に形成されている。幅の狭いスリット窓３１、３２、３３には、食肉などの食品を調理する調理棚２１、２２、２３を装着することを意図している。調理方法としては、食肉などを、焼き網に載せ置き、調理することを想定している。尚、幅の広いスリット窓３０は、図５に示されるように調理容器９のように幅の広い加熱対象品を用いることを想定したものである。
【００２２】
各スリット窓３０、３１、３２、３３には、前面に対応するスリット窓の閉鎖板４０、４１、４２、４３を備え、且つ、オーブ庫内２では強制対流している風を妨げることのない構成とした調理棚２０、２１、２２、２３を出し入れ自在に装着してある。閉鎖板４０、４１、４２、４３の構成は図１、図４乃至図６に示されるようなもので、加熱調理時にスリット窓３０、３１、３２、３３より熱が逃げることがないようにするためのものであり、調理棚２０、２１、２２、２３の構成は、図４乃至図６に現れているように強制対流している風が妨げられないように構成されている。実施例では、強制対流している風には、強制対流している熱風・蒸気が含まれる。
【００２３】
尚、図４は、最下段の焼き網５３付き調理棚２３を引き出した状態の斜視図であり、図５が幅広のスリット窓３０へ装着される調理棚２０を引き出した状態を示す斜視図であり、いずれも引き出し取っ手８を掴んで引き出す。
【００２４】
調理棚２０、２１、２２、２３は、４つの棚に対応する４つの枠体６０、６３と、該４つの枠体６０，６３に取り外し自在に載置される焼き網５３とでなると共に、該枠体６０、６３の出し入れ方向一側（実施例は引き出し方向正面より観察して右側）に焼き網脱着作業用の切欠部６を設けている。
【００２５】
この切欠部６は、焼き網５３をトング１０（網掴み具）で掴み、枠体６３上に載置したり、枠体６３より取り出したりする際に、掴みやすくするために形成されている。このため調理棚２３から調理物を取り出す際、焼き網５３ごと取り出すことができ、また、焼き網５３に載せて準備しておいた調理物をすぐに、枠体６３上に載せることができる。尚、図６は、焼き網付き調理棚の説明図で（Ａ）が、調理棚２３の枠体６３に焼き網５３を載置する前の状態を示し、（Ｂ）は同枠体６３に焼き網５３を載置した状態を示している。
【００２６】
調理棚２０、２１、２２、２３は、上記スリット窓３０、３１、３２、３３の閉鎖板４０、４１、４２、４３の配置位置と反対方向端部、具体的には４つの枠体６０、６３の同方向端部にフック状の係止用ストッパ５が形成されている。勿論、係止用ストッパ５は、フック状のものに限定されるものではない。該係止用ストッパ５は、前記スリット窓３０、３１、３２、３３の開口部下端辺４に係止する。図７が、調理棚２３がスリット窓３３の開口部下端辺４に係止した状態を示す説明図である。調理棚２３は、引き出すと、係止用ストッパ５がスリット窓３３の開口部下端辺４に係止し、落下防止ができる。尚、構造が簡単なため、外すのも簡単であり、取り外して掃除するのも簡単である。
【００２７】
以下、本実施例を用いて通常の業務用の調理をする場合について説明する。
本実施例に係るスチームコンベクションオーブン１の使用に際し、オーブン庫扉３は、調理中は開け閉めを行わない。オーブン庫扉３は、オーブン庫２内の清掃時のみ開閉が行われる。使用する際は、スリット窓３０、３１、３２、３３に、調理棚２０、２１、２２、２３を差し込み、閉鎖板４０、４１、４２、４３でオーブン庫２内を閉鎖空間とする。その後、予熱を行う。
【００２８】
予熱完了後、既に注文済みの第１の調理品を所望の調理棚２３を引き出し、載置し、再度押し込み、オーブン庫２内を密閉して、加熱調理を行う。この際、オーブン庫扉３は開閉していないため、開閉による熱の逃げはなく、且つ、通常の装置にあるオーブン庫扉３の開によるオーブン庫２内の熱源の停止や熱風等のファンの停止が起こらず温度低下を最小限にすることができる。
【００２９】
第１の調理品が加熱調理中に別の注文を受けた場合、オーブン庫扉３を開けることなく、別の調理棚２２を引き出し、追加の第２の調理品を載置し、押し込み、オーブン庫２内を再度密閉して加熱調理を行う。上記と同様温度低下が最小限であるため、第１の調理品の加熱調理の完了を待つことなく、第２の調理品の加熱調理を開始することができる。
【００３０】
更に、第２の調理品の加熱調理中に、第１の調理品の調理が完了した場合も、第１の調理品の載置された、調理棚２３のみを引き出し、完成している第１の調理品を取り出せばよく、その際も上記と同様温度低下が最小限であるため、連続調理が可能となった。
【符号の説明】
【００３１】
１・・・・・・・・スチームコンベクションオーブン
２・・・・・・・・オーブン庫
３・・・・・・・・オーブン庫扉
４・・・・・・・・開口部下端辺
５・・・・・・・・係止用ストッパ
６・・・・・・・・切欠部
７・・・・・・・・ドア取っ手
８・・・・・・・・引き出し取っ手
９・・・・・・・・調理容器
１０・・・・・・・トング
２０、２１、２２、２３・・・調理棚
３０、３１、３２、３３・・・スリット窓
４０、４１．４２、４３・・・閉鎖板
５３・・・・・・・焼き網
６０、６３・・・・枠体
【図１】
0005382376.tif 000002
【図２】
0005382376.tif 000003
【図３】
0005382376.tif 000004
【図４】
0005382376.tif 000005
【図５】
0005382376.tif 000006
【図６】
0005382376.tif 000007
【図７】
0005382376.tif 000008